(57)【要約】【課題】雨濡れや雨の吹き込みを防止する機能を付加した建築構造物が構築可能な鉄骨製構造躯体を提案する。【解決手段】軽量鉄骨からなる梁部材４、柱部材３の複数本を軸組みすることによって構築された建築構造物の構造躯体において、前記梁部材４または柱部材３に、センサーｍ３の出力に応じて駆動可能な駆動機構Ｍを設け、該駆動機構Ｍに該駆動機構Ｍの駆動によって作動する作動体７を連結する。【選択図】図２
2017096039.tif 000002
【特許請求の範囲】
【請求項１】
軽量鉄骨からなる梁部材、柱部材の複数本を軸組みすることによって構築された建築構造物の構造躯体であって、
前記梁部材または柱部材に、センサーの出力に応じて駆動可能な駆動機構を設け、該駆動機構に該駆動機構の駆動によって作動する作動体を連結してなることを特徴とする軽量鉄骨製構造躯体。
【請求項２】
前記センサーが雨センサーであり、前記作動体が前記建築構造物の外側で雨よけ領域を形成するオーニングであることを特徴とする請求項１に記載した軽量鉄鋼製構造躯体。
【請求項３】
前記センサーが雨センサーであり、前記作動体がスラットの巻き取り、巻き出しにより前記建築構造物の外壁に形成される開口部を開閉するシャッターであることを特徴とする請求項１に記載した軽量鉄鋼製構造躯体。
【請求項４】
前記オーニングは、その往復移動により前記構造躯体内側への入り込みおよび該構造躯体外側への突出しを可能とする少なくとも１つのスライダーと、一端がスライダーの先端部に連結され他端が該建築構造物の外壁、前記構造躯体の梁部材または柱部材のいずれかに連結されるオーニング本体とを備え、
該オーニング本体は、該スライダーの突出しにより引き伸ばし可能で、かつ、該スライダーの入り込みにより折り畳み可能なシート状部材からなることを特徴とする請求項２に記載した軽量鉄骨製構造躯体。
【請求項５】
前記柱部材の少なくとも１つは、その側面において前記スライダーを移動可能に支持する支持機構を有することを特徴とする請求項４に記載した軽量鉄骨製構造躯体。
【請求項６】
前記スライダーは、前記梁部材に設けられた貫通孔を通して設置されたものであり、該梁部材は、該スライダーを移動可能に支持する支持機構を有することを特徴とする請求項４に記載した軽量鉄骨製構造躯体。
【請求項７】
前記シャッターは、前記梁部材の相互間に固定、保持されたものであることを特徴とする請求項３に記載した軽量鉄骨製構造躯体。
【発明の詳細な説明】
【技術分野】
【０００１】
本発明は、一般住宅等の低層建築構造物を構築するのに適した軽量鉄骨製構造躯体に関するものである。
【背景技術】
【０００２】
一般住宅等の低層建築構造物の構造躯体は、通常、木製の柱や梁部材を用いられており、建築構造物の外壁面、とくに、窓やドア等の開口部の上部には庇を設けるために、その構成部材の基端が構造躯体に直接接続されているのが普通である。
【０００３】
ところで、近年、この種の建築構造物にあっては、日光による殺菌、ダニ退治あるいは省エネの観点から、洗濯物や布団を屋外干しを行うことができる一方で、外出、不在時の天候急変によって降雨となった場合に、洗濯物や布団等の上面を覆って雨濡れを回避することを可能とした庇の設置が強く要望されるようになってきているところ、上記従来の庇は、その構成部材の基端が構造躯体に一体化された固定構造であることから上記要望には対応し得ないものであった。
【０００４】
この点に関する先行技術として、例えば特許文献１には、伸縮アームによりキャンバスの拡張と収納を可能としたオーニング装置が提案されており、これによりある程度の対応はできるようになってはいる。しかしながら、ここで提案されている装置は、建築構造物の外壁にボルト等の締結手段を介して取付ける後付けタイプの装置であり、それそのものの重量に制限を受けることに加え、とくに、キャンバスが拡張された状態で風荷重が作用した場合に取付け部分や伸縮アームが破損することも懸念され、従来のものは強度の面で十分なものとはいえないのが現状であった。
【先行技術文献】
【特許文献】
【０００５】
【特許文献１】特開２０１３−１９４４８３号公報
【０００６】
また、とくに敷地が狭い都市型の建築構造物にあっては、建物本体とガレージとの一体化を図ったビルトインガレージタイプの建築構造物が多く構築されており、この場合、ガレージの間口を形成する開口部からの雨や風の吹き込みを防ぐために該開口部にはそれを開閉する電動シャッターが取付けられる。
【０００７】
しかしながら、建築構造物の構造躯体が木材から構築されていると、電動シャッターの取付けに際して取付け部位の部材に切欠き部（取付けボルトを固定する座ぐり孔や取付けボルトの通し孔等）を設ける必要があることから、部材には断面欠損が生じるのが避けられず、建築構造物を支持するのに必要な強度を確保するには、断面欠損を見込んだサイズの部材を使用することが不可避であり、これによるコスト上昇が避けられない不具合も有している。
【発明の概要】
【発明が解決しようとする課題】
【０００８】
本発明の課題は、建築構造物を構築する際に生じていた従来の不具合を解消できる軽量鉄骨製構造躯体を提案するところにある。
【課題を解決するための手段】
【０００９】
本発明は、軽量鉄骨からなる梁部材、柱部材の複数本を軸組みすることによって構築された建築構造物の構造躯体であって、前記梁部材または柱部材に、センサーの出力に応じて駆動可能な駆動機構を設け、該駆動機構に該駆動機構の駆動によって作動する作動体を連結してなることを特徴とする軽量鉄骨製構造躯体である。
【００１０】
上記の構成からなる軽量鉄骨製構造躯体においては、前記センサーが雨センサーであり、前記作動体が前記建築構造物の外側で雨よけ領域を形成するオーニングであること、また、前記作動体がスラットの巻き取り、巻き出しにより前記建築構造物の外壁に形成される開口部を開閉するシャッターであることが望ましい。
【００１１】
また、前記オーニングは、その往復移動により前記構造躯体内側への入り込みおよび該構造躯体外側への突出しを可能とする少なくとも１つのスライダーと、一端がスライダーの先端部に連結され他端が該建築構造物の外壁、前記構造躯体の梁部材または柱部材のいずれかに連結されるオーニング本体とを備え、該オーニング本体は、該スライダーの突出しにより引き伸ばし可能で、かつ、該スライダーの入り込みにより折り畳み可能なシート状部材からなること、前記柱部材の少なくとも１つは、その側面において前記スライダーを移動可能に支持する支持機構を有すること、前記スライダーは、前記梁部材に設けられた貫通孔を通して設置されたものであり、該梁部材は、該スライダーを移動可能に支持する支持機構を有すること、さらに、前記シャッターは、前記梁部材の相互間に固定、保持されたものとすることが本発明の課題解決のための手段として望ましい。なお、本発明において軽量鉄骨とは、厚さが６ｍｍ未満、より好ましくは厚さが２．３〜４．５ｍｍ程度になるＨ形鋼、角形鋼管、円形鋼管、Ｃ形鋼（チャンネル材）等をいうものとし、Ｈ形鋼、Ｃ形鋼は土台や梁部材として用いられ、角形鋼管、円形鋼管は柱部材として用いられる。
【発明の効果】
【００１２】
上記の構成からなる本発明の軽量鉄骨製構造躯体によれば、軽量鉄骨からなる梁部材あるいは柱部材にセンサーの出力に応じて駆動する駆動機構を設け、該駆動機構に該駆動機構の駆動によって作動する作動体（オーニング、シャッター等）を連結するようにしたため、降雨時にのみ作動体としてのオーニングあるいはシャッターを作動させることが可能となり洗濯物等の雨濡れや開口部内への雨の吹き込みを確実に回避することができる。
【００１３】
作動体としてのオーニングを、構造躯体内側への入り込みおよび該構造躯体外側への突出しを可能とする少なくとも１つのスライダーと、一端がスライダーの先端部に連結され他端が該建築構造物の外壁、前記構造躯体の梁部材または柱部材のいずれかに連結されるオーニング本体（スライダーの突出しにより引き伸ばし可能で、かつ、該スライダーの入り込みにより折り畳み可能なシート状部材）とを備えたもので構成することにより、晴天時には、該オーニングを建築構造物（構造躯体）内に収納しておくことができ、洗濯物や布団等の屋外干しが行なえ、雨が降ってきたときには、スライダーの突出しにより雨よけ領域を形成することが可能となるため洗濯物や布団等の雨濡れを回避することができる。
【００１４】
作動体をシャッターとすることにより、建築構造物の開口部からの雨の吹き込みを防止することができる。
【００１５】
柱部材の少なくとも１つに、その側面において前記スライダーを移動可能に支持する支持機構を設けることによりスライダーのスムーズな移動が可能となる。
【００１６】
スライダーを、梁部材に設けられた貫通孔を通して設置し、該梁部材に、該スライダーを移動可能に支持する支持機構を設けることにより、スライダーそのものを、建築構造物の天井裏に収納させておくことができ、室内に出っ張り等が形成されることがない（収まりがよい）。
【００１７】
本発明に従う軽量鉄骨製構造躯体を構成する梁部材、柱部材は、適宜ボルト孔加工、ガセットプレートの接合（溶接）を行ったのち、その全域に亜鉛めっきが施されたものであって、これらの部材を、建設現場においてボルトによって連結、組み立てることにより構造躯体とするものである。かかる部材によって組み立てられる構造躯体は、構造設計、部材製作をシステム化することが可能であり、品質が安定しており、省コスト化を図ることもできる利点を有している。
【図面の簡単な説明】
【００１８】
【図１】本発明にしたがう軽量鉄骨製構造躯体の一部分を示した外観斜視図である。
【図２】（ａ）（ｂ）は、図１に示した構造躯体の要部の側面および背面を示した図である。
【図３】（ａ）（ｂ）は、本発明にしたがう構造躯体の他の例を要部の側面および背面について示した図である。
【図４】（ａ）（ｂ）は、本発明にしたがう構造躯体の他の例を要部の側面および背面について示した図である。
【図５】（ａ）（ｂ）は、木製部材からなる構造躯体の要部の側面および背面を示した図である。
【発明を実施するための形態】
【００１９】
以下、図面を参照して本発明をより具体的に説明する。
図１は、軽量鉄骨からなる梁部材、柱部材、土台部材の複数本を軸組みして構築された建築構造物の構造躯体を部分的に示した図であり、図２（ａ）（ｂ）は、図１に示した構造躯体の要部の側面および背面を示した図である。
【００２０】
図１、２において符号１は、布基礎、２は布基礎１の上に置かれた土台（Ｈ形鋼）、３は柱部材（角形鋼管）、４は梁部材（Ｈ形鋼）、５は垂直ブレース、６は水平ブレースである。
【００２１】
また、７は、構造躯体の開口部の上部に設けられ、駆動機構Ｍによって駆動可能な作動体としてのオーニングである。オーニング７は、その往復移動により構造躯体内側への入り込みおよび該構造躯体外側への突出しを可能とする、例えば角形鋼管からなるスライダー７ａと、一端がスライダー７ａの先端部に連結され他端が構造躯体の梁部材４に連結されるオーニング本体７ｂから構成されている。オーニング本体７ｂは、スライダー７ａの引き出しにより引き伸ばし可能で、かつ、スライダー７ａの入り込みにより折り畳み可能なシート状部材（合成樹脂製のキャンバス等）が適用される。スライダー７ａは、前下がりになるように若干傾けて構造躯体に設置される。
【００２２】
駆動機構Ｍとしては、ピニオンを有し柱部材３に固定される駆動源（電動モーター等）ｍ１と、スライダー７ａに設けられ駆動源ｍ１のピニオンに噛みあうラックｍ２と、建築構造物の壁部等に設置され、雨滴を検知して駆動源ｍ１を作動させるセンサーｍ３から構成される。
【００２３】
また、８は、柱部材３に設けられスライダー７ａを移動可能に支持するローラ、９は、スライダー７ａの後端部に設けられ、該スライダー７ａが構造躯体から抜け落ちるのを防止するストッパーである。
【００２４】
本発明にしたがう構造躯体は、軽量鉄骨で構成されるものであり、オーニング７は、構造躯体を構成する柱部材３、梁部材４に取付けられるため、十分な強度を確保することができるサイズの部材を使用することが可能であり、過大な風荷重が作用したとしてもオーニング本体７ｂやスライダー７ａが簡単に破損することがない。
【００２５】
また、オーンニグ７の取付けに際しては部材相互を溶接等によって接合できるため柱部材３や梁部材４の断面欠損が起こることがほとんどないためコストアップにつながるような構成部材の大型化は避けられる（部材相互をボルトによって接合する場合であっても部材の断面欠損は木製の部材を使用した場合に比較して最小限に抑えられる）。
【００２６】
図３（ａ）（ｂ）は、スライダー７ａを、梁部材４のウエブ部に貫通孔４ａを設け、この貫通孔４ａを通して移動可能に設置した本発明にしたがう軽量鉄骨製構造躯体の他の実施の形態を示したものである。
【００２７】
かかる構成の構造躯体は、スライダー７ａが梁部材４のウエブ高さの範囲内に位置するため、オーニング７をより高い位置に設けることができるとともに、スライダー７ａを建築構造物の天井裏に収納可能であり、室内に出っ張りが形成されることがない利点を有している。とくに梁部材４のウエブに貫通孔４ａを設ける場合、その貫通孔４ａの高さは適切な補強を施すことによりウエブ高さの１／２まで可能とされる。
【００２８】
図４（ａ）（ｂ）は、作動体をシャッターとした本発明にしたがう構造躯体の他の実施の形態を要部について示した図である。図における符号１０は、センサーの出力に応じて駆動可能な駆動機構を有するシャッターである。
【００２９】
シャッター１０は、建築構造物の開口部を開閉するスラット１０ａと、該スラット１０ａを巻き掛ける軸部１０ｂと、該軸部１０ｂを軸受けを介して回転可能に保持する一対の側板１０ｃと、軸部１０ｂを時計周り、反時計周りに回転させてスラット１０ａの巻取り、巻き出しを行う駆動源（電動モーター等）１０ｄとを備えたもので構成されており、駆動源１０ｄは、雨センサー（図示せず）につながっている。
【００３０】
かかる構成からなる鉄骨製構造躯体においては、シャッター１０の全重量が作用する側板１０ｃを柱部材３の相互間において溶接等により直接接合できるため、図５（ａ）（ｂ）に示すように、木造にて構築する構造躯体で生じるような支持強度の低下につながる断面欠損（座ぐりや連結ボルトの貫通孔等）は起こることがない。
【産業上の利用可能性】
【００３１】
本発明によれば、雨濡れや雨の吹き込みを防止し得る機能を付加した建築構造物の構築を可能とする鉄骨製構造躯体が提供できる。
【符号の説明】
【００３２】
１      布基礎
２      土台
３      柱部材
４      梁部材
５      垂直ブレース
６      水平ブレース
７      オーニング
７ａ    スライダー
７ｂ    オーニング本体
８      ローラ
９      ストッパー
１０    シャッター
１０ａ  スラット
１０ｂ  軸部
１０ｃ  側板
１０ｄ  駆動源
Ｍ      駆動機構
【図１】
2017096039.tif 000003
【図２】
2017096039.tif 000004
【図３】
2017096039.tif 000005
【図４】
2017096039.tif 000006
【図５】
2017096039.tif 000007